(57)【要約】【課題】所望とする方向に指向性を維持することのできる線状型照明装置を提供する。【解決手段】ＬＥＤ照明装置（線状型照明装置）１は、ＬＥＤ光源１２と、ＬＥＤ光源１２を覆う線状型のカバー部材１１とを備えている。ＬＥＤ照明装置１は、ランプホルダ（支持部材）５１の湾曲部５１ｂによって、外周の少なくとも一部が保持されている。これにより、ＬＥＤ照明装置１は、ランプホルダ（支持部材）５１に支持可能に構成されている。ＬＥＤ照明装置１の外周には、ランプホルダ（支持部材）５１に対してカバー部材１１が軸方向に回転することを規制する突起部２２が設けられている。【選択図】図２
2019160441.tif 000002
【特許請求の範囲】
【請求項１】
ＬＥＤ光源と、
前記ＬＥＤ光源を覆う線状型のカバー部材と
を備えている線状型照明装置であって、
前記線状型照明装置は、支持部材によって、外周の少なくとも一部が保持されることで前記支持部材に支持可能に構成されており、
前記線状型照明装置の外周には、前記支持部材に対して前記カバー部材が軸方向に回転することを規制する突起部が設けられている、
線状型照明装置。
【請求項２】
前記カバー部材の外周には、前記支持部材に前記線状型照明装置を取り付けるための取り付け部材がさらに備えられており、
前記突起部は、前記取り付け部材に設けられている、
請求項１に記載の線状型照明装置。
【請求項３】
前記取り付け部材は、前記カバー部材の外周を取り囲むような環状形状を有しており、
前記環状形状の内周部には、前記取り付け部材に対して前記カバー部材を固定するための位置決め部が設けられている、
請求項２に記載の線状型照明装置。
【請求項４】
前記位置決め部は、複数個所で前記カバー部材を固定することが可能となっている、
請求項３に記載の線状型照明装置。
【請求項５】
前記カバー部材は、複数の照射面を有しており、隣接する照射面の間に前記位置決め部が配置されている、
請求項３または４に記載の線状型照明装置。
【請求項６】
前記取り付け部材は、透光性を有している、請求項２から５の何れか１項に記載の線状型照明装置。
【請求項７】
前記支持部材は、前記線状型照明装置の外周を取り囲む湾曲部と、開口部とを有しており、
前記線状型照明装置を前記支持部材に取り付けたときに、前記突起部は、前記開口部の両端部にそれぞれ位置するように設けられている、
請求項１から６の何れか１項に記載の線状型照明装置。
【発明の詳細な説明】
【技術分野】
【０００１】
本発明は、ＬＥＤ光源を有する線状型照明装置に関する。
【背景技術】
【０００２】
室内や店舗に設けられたショーケースなどを明るくするための照明装置として、直管ランプなどの線状型の光源を有する線状型照明装置が存在する。例えば、特許文献１には、直管ランプ用のランプホルダー、および、このランプホルダーに直管ランプが支持されている照明器具が開示されている。
【０００３】
近年、発光ダイオード（ＬＥＤ）の普及により、照明装置の光源としてＬＥＤの利用可能性が高まってきている。例えば、ＬＥＤ光源を有する照明装置は、従来の蛍光灯の代わりに、室内用の照明や、コンビニエンスストアなどの店舗の看板用の照明、店内のショーケースなどに陳列された商品を照らすための照明などとして利用することができる。
【０００４】
ＬＥＤは、一般的に、蛍光灯と比べて指向性が高い。そのため、ＬＥＤ光源を用いた照明装置では、より広範な範囲を照らすために、光源の側面方向へも光を照射し、照射範囲を拡大させるための工夫が行われている。
【０００５】
また、ＬＥＤ光源を用いて所定の方向に指向性を有する線状型の照明装置を得るために、ＬＥＤ光源を覆う透光性のカバー部材の断面形状を、従来の蛍光灯のような円形以外の異形形状とすることも試みられている。
【先行技術文献】
【特許文献】
【０００６】
【特許文献１】特開２０１６−１５３３号公報
【発明の概要】
【発明が解決しようとする課題】
【０００７】
しかしながら、特許文献１に開示されているランプホルダーなどの従来のランプホルダーは、蛍光灯などの円筒形状の線状型光源を支持するのに適した構造となっている。円筒形状の蛍光灯は、３６０°の配光特性を有している。そのため、ランプホルダーに蛍光灯を取り付ける際に、ランプホルダーに対する蛍光灯の向きを考慮する必要はない。
【０００８】
これに対して、特定の方向に指向性を有するＬＥＤ光源を用いた場合には、ＬＥＤ光源の指向性を考慮して、ランプホルダーに対してＬＥＤ光源の位置決めを行った上で、ＬＥＤ光源を取り付けることが望まれる。
【０００９】
しかし、円筒形状の線状型光源を支持するのに適した構造のランプホルダーに対してＬＥＤ光源を有する照明装置を取り付けると、使用中（照明中）に周囲の振動などによって、ランプホルダー内を照明装置が回転するなどし、光照射位置がずれてしまう可能性がある。また、円筒形状の光源を支持するのに適したランプホルダーでは、円形以外の異形形状を有する照明装置を安定した状態で保持することが困難である。
【００１０】
そこで、本発明では、所望とする方向に指向性を維持することのできる線状型照明装置を提供することを目的とする。
【課題を解決するための手段】
【００１１】
本発明の一局面にかかる線状型照明装置は、ＬＥＤ光源と、前記ＬＥＤ光源を覆う線状型のカバー部材とを備えている。前記線状型照明装置は、支持部材によって、その外周の少なくとも一部が保持されることで前記支持部材に支持可能に構成されている。前記線状型照明装置の外周には、前記支持部材に対して前記カバー部材が軸方向に回転することを規制する突起部が設けられている。
【００１２】
上記の本発明の一局面にかかる線状型照明装置において、前記カバー部材の外周には、前記支持部材に前記線状型照明装置を取り付けるための取り付け部材がさらに備えられていてもよい。この構成において、前記突起部は、前記取り付け部材に設けられていてもよい。
【００１３】
上記の本発明の一局面にかかる線状型照明装置において、前記アタッチメントは、前記カバー部材の外周を取り囲むような環状形状を有しており、前記環状形状の内周部には、前記アタッチメントに対して前記カバー部材を固定するための位置決め部が設けられていてもよい。
【００１４】
上記の本発明の一局面にかかる線状型照明装置において、前記位置決め部は、複数個所で前記カバー部材を固定することが可能となっていてもよい。
【００１５】
上記の本発明の一局面にかかる線状型照明装置において、前記カバー部材は、複数の照射面を有しており、隣接する照射面の間に前記位置決め部が配置されていてもよい。
【００１６】
上記の本発明の一局面にかかる線状型照明装置において、前記取り付け部材は、透光性を有していてもよい。
【００１７】
上記の本発明の一局面にかかる線状型照明装置において、前記支持部材は、前記線状型照明装置の外周を取り囲む湾曲部と、開口部とを有しており、前記線状型照明装置を前記支持部材に取り付けたときに、前記突起部は、前記開口部の両端部にそれぞれ位置するように設けられていてもよい。
【発明の効果】
【００１８】
本発明の一局面にかかる線状型照明装置によれば、カバー部材の形状に関わらず、所望とする方向に指向性を維持することができる。そのため、汎用性の高い照明装置を提供することができる。
【図面の簡単な説明】
【００１９】
【図１】本発明の一実施形態にかかるＬＥＤ照明装置の外観を示す斜視図である。
【図２】図１に示すＬＥＤ照明装置の内部構成を示す断面図である。
【図３】図１に示すＬＥＤ照明装置を構成するアタッチメントの構成を示す断面図である。
【図４】ＬＥＤ照明装置およびＬＥＤ光源の配光特性を示す図である。
【図５】ＬＥＤ照明装置を店舗のショーケースの照明として使用したときの配光特性を示す模式図である。
【図６】第２の実施形態にかかるＬＥＤ照明装置の外観を示す斜視図である。
【図７】図６に示すＬＥＤ照明装置の内部構成を示す断面図である。
【図８】第３の実施形態にかかるＬＥＤ照明装置の内部構成を示す断面図である。
【図９】第４の実施形態にかかるＬＥＤ照明装置の内部構成を示す断面図である。
【図１０】第５の実施形態にかかるＬＥＤ照明装置の内部構成を示す断面図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
〔第１の実施形態〕
（ＬＥＤ照明装置の全体構成）
本実施形態では、線状型照明装置の一例であるＬＥＤ照明装置１を例に挙げて説明する。本実施形態にかかるＬＥＤ照明装置１は、例えば、コンビニエンスストアなどの店舗に設置されたショーケース用の照明として好適に用いられる。
【００２２】
先ず、本実施の形態にかかるＬＥＤ照明装置１の全体構成について、図１および図２を用いて説明する。図１には、第１の実施形態にかかるＬＥＤ照明装置１の外観を示す。図２には、ＬＥＤ照明装置１の内部構成を示す。図２は、ＬＥＤ照明装置１の横断面（ＬＥＤ照明装置１の長手方向に直交する面）の構成を示す図である。図２では、支持基台５０にＬＥＤ照明装置１が取り付けられた状態を示す。
【００２３】
図１に示すように、ＬＥＤ照明装置１は、細長い形状を有する線状型の照明装置である。本実施形態では、ＬＥＤ照明装置１の外周面を構成する各面のうちの２つの面が、平面状になっている。これらの２つの平面が、ＬＥＤ光源１２からの光の主たる照射方向に位置する照射面（すなわち、第１照射部１１ａおよび第２照射部１１ｂ）となる。
【００２４】
ＬＥＤ照明装置１は、支持基台５０に取り付けられている。支持基台５０は、例えば、店舗のショーケースの筐体であったり、部屋の壁面であったりする。本実施形態では、ＬＥＤ照明装置１は、支持基台５０の傾斜壁面５０ａに設置されているランプホルダ（支持部材）５１に対して取り付けられている。
【００２５】
具体的には、傾斜壁面５０ａには、２つのランプホルダ５１が設けられている。ランプホルダ５１は、主として、支持軸５１ａ、湾曲部５１ｂ、開口部５１ｃ、および開口突起５１ｄで構成されている。
【００２６】
支持軸５１ａは、傾斜壁面５０ａから延びる棒状の部材である。湾曲部５１ｂは、略円形の環状部材である。但し、環状部材の一部は開口しており、ここに開口部５１ｃが形成されている。本実施形態では、開口部５１ｃは、支持軸５１ａと対向する位置に形成されている。これにより、ランプホルダ５１へのＬＥＤ照明装置１の取り付け作業が行い易くなる。しかし、開口部５１ｃの位置はこれに限定されない。開口突起５１ｄは、湾曲部５１ｂの各端部（開口部５１ｃとの境界部分）に設けられている。
【００２７】
ランプホルダ５１にＬＥＤ照明装置１を取り付ける場合には、開口部５１ｃからＬＥＤ照明装置１を湾曲部５１ｂ内へ差し込む。これにより、ＬＥＤ照明装置１の外周の一部がランプホルダ５１によって抱え込まれ、ＬＥＤ照明装置１は、支持基台５０に取り付けられる。
【００２８】
上述したように、ランプホルダ５１の湾曲部５１ｂの形状は、略円形となっている。これは、従来の一般的な蛍光灯の断面形状が、円形を有しているためである。後述するように、本実施形態にかかるＬＥＤ照明装置１の断面形状は、円形ではなく、異形形状を有している。本実施形態では、このような異形形状の照明装置を位置ずれすることなくランプホルダ５１に取り付けることを可能とする。
【００２９】
本実施形態のＬＥＤ照明装置１は、主な構成部材として、カバー部材１１、端部支持部材１８ａ・１８ｂ、ＬＥＤ光源１２、載置板１３、およびアタッチメント（取り付け部材）２１などを備えている。
【００３０】
カバー部材１１は、光を透過させることのできる材料で形成されている。例えば、カバー部材１１は、ポリカーボネートなどの透光性を有する樹脂を成形して形成される。カバー部材１１は、内部に空間を有する筒状の形状を有している。
【００３１】
より具体的には、カバー部材１１の外形は、第１照射部１１ａ、第２照射部１１ｂ、頂部１１ｃ、および湾曲部１１ｄで構成されている（図２参照）。また、カバー部材１１の内側空間には、載置板１３を支持するための保持部１４が設けられている。カバー部材１１の内部の空間には、ＬＥＤ光源１２などが配置される。これにより、ＬＥＤ光源１２から照射された光は、カバー部材１１を透過して被照射物に照射される。
【００３２】
端部支持部材１８ａおよび１８ｂは、カバー部材１１の両端部にそれぞれ配置されている。端部支持部材１８ａおよび１８ｂは、カバー部材１１によって形成される内部の空間の両端部を塞いでいる。端部支持部材１８ａおよび１８ｂは、樹脂材料または金属材料などで形成されている。端部支持部材１８ａおよび１８ｂは、光を透過させる材料で形成されていてもよいし、光を遮蔽する材料で形成されていてもよい。端部支持部材１８ａには、電源から各ＬＥＤ光源１２へ電力を供給するための配線（図示せず）が貫通している。
【００３３】
載置板１３は、カバー部材１１の内部に配置されている。載置板１３は、各ＬＥＤ光源１２を列状に並べて載置している。載置板１３は、ＬＥＤ照明装置１の長手方向に沿って延びる板状の部材である。載置板１３は、カバー部材１１の内側の壁面に形成された保持部１４によって支持されている。載置板１３には、ＬＥＤ光源１２の他に、電源から各ＬＥＤ光源１２へ電力を供給するための配線（図示せず）が実装されている。なお、載置板１３の裏面側（ＬＥＤ光源１２の設置面とは反対側）には、電源ユニット（図示せず）が配置されている。載置板１３の裏面側に電源ユニットが設けられていることで、ＬＥＤ照明装置１の重心は、カバー部材１１の湾曲部１１ｄ側に偏った状態となっている。なお、本発明の別態様にかかるＬＥＤ照明装置では、電源ユニットは設けられていなくてもよい。
【００３４】
ＬＥＤ光源１２は、発光ダイオード素子を有している。ＬＥＤ光源１２は、蛍光灯に比べて消費電力が低く、長寿命である。また、ＬＥＤ光源１２は、蛍光灯に比べて指向性が高い。ＬＥＤ光源１２は、ＬＥＤ照明装置１の長手方向に沿って、載置板１３上に複数個並んで配置されている。
【００３５】
アタッチメント２１は、樹脂材料、または金属材料で形成されている。一例では、アタッチメント２１は、カバー部材１１と同様に、ポリカーボネートなどの透光性を有する樹脂を成形して形成される。
【００３６】
アタッチメント２１は、リング状（略環状）の形状を有しており、カバー部材１１の周囲を取り囲むように配置されている。図３には、アタッチメント２１の断面構成を示す。図１に示すように、アタッチメント２１は、カバー部材１１の外周に取り付けられている。具体的には、アタッチメント２１は、ＬＥＤ照明装置１がランプホルダ５１に取り付けられた状態で、ランプホルダ５１に対応する位置に配置されている。図２に示すように、ＬＥＤ照明装置１をランプホルダ５１に取り付けた状態で、アタッチメント２１は、その外周面が、ランプホルダ５１の湾曲部５１ｂの内周面と接触するような位置関係となっている。
【００３７】
アタッチメント２１は、その外周面に突起部２２を有している。本実施形態では、１つのアタッチメント２１に対して、１つの突起部２２が設けられている。また、アタッチメント２１は、その内周面に複数の位置決め用突起（位置決め部）２３を有している。
【００３８】
（カバー部材およびアタッチメントの構成）
続いて、ＬＥＤ照明装置１を構成するカバー部材１１およびアタッチメント２１のより詳しい構成を説明する。
【００３９】
上述したように、カバー部材１１は、第１照射部１１ａ、第２照射部１１ｂ、頂部１１ｃ、および湾曲部１１ｄを有している（図２参照）。
【００４０】
第１照射部１１ａおよび第２照射部１１ｂは、互いに略同一面積かつ略同一形状の平面をそれぞれ有している。これらの平面が、ＬＥＤ光源１２からの光を主に出射させる照射面となっている。第１照射部１１ａおよび第２照射部１１ｂは、ＬＥＤ光源１２を載置している載置板１３を間に挟んで、互いに対向する位置にある。第１照射部１１ａおよび第２照射部１１ｂの内側表面には、載置板１３を保持するための保持部１４が形成されている。
【００４１】
頂部１１ｃは、載置板１３のＬＥＤ光源１２が設置されている側に位置する。頂部１１ｃは、第１照射部１１ａと第２照射部１１ｂとの間に位置する。図２に示すように、頂部１１ｃの外周面は、アタッチメント２１の内周面に沿うような形状となっている。
【００４２】
湾曲部１１ｄは、載置板１３の裏面側（ＬＥＤ光源１２が設置されている側とは反対側）に位置する。湾曲部１１ｄは、第１照射部１１ａと第２照射部１１ｂとの間に位置する。図２に示すように、湾曲部１１ｄの外周面は、アタッチメント２１の内周面に沿うような形状となっている。カバー部材１１の内部において、湾曲部１１ｄと載置板１３との間に形成される空間内に、ＬＥＤ光源１２の電源ユニット（図示せず）が配置されている。
【００４３】
図２に示すように、第１照射部１１ａおよび第２照射部１１ｂは、載置板１３に対して傾斜している。すなわち、頂部１１ｃの幅は、湾曲部１１ｄの幅よりも小さくなっている。これにより、第１照射部１１ａおよび第２照射部１１ｂは、頂部１１ｃの方へ向かって、互いの距離が近づくように傾斜している。
【００４４】
このように、本実施形態にかかるＬＥＤ照明装置１は、その断面形状が円形ではない異形形状のカバー部材１１を有している。そして、ＬＥＤ照明装置１には、断面が円形型の線状照明装置用に構成されているランプホルダ５１に対して、カバー部材１１を安定した状態で保持するための構成部材として、アタッチメント２１が備えられている。
【００４５】
アタッチメント２１は、カバー部材１１の外周に取り付けられたリング状の部材である。アタッチメント２１は、突起部２２と、位置決め用突起２３とを有している。
【００４６】
突起部２２は、アタッチメント２１の外周面に形成されている。突起部２２は、ランプホルダ５１に対してカバー部材１１が軸方向に回転することを規制するための部材である。ここで、カバー部材１１が軸方向に回転するとは、線状型のカバー部材１１の長軸に沿った軸を起点としてカバー部材１１が回転することを意味する。
【００４７】
位置決め用突起２３は、アタッチメント２１の内周面に形成されている。本実施形態では、位置決め用突起２３は、アタッチメント２１の内周面の一部に、略等間隔で配置された５個の突起で構成されている（図３参照）。図２に示すように、５個の突起のうちの隣り合う任意の２つの突起の間に、カバー部材１１の頂部１１ｃが配置される。これにより、アタッチメント２１に対してカバー部材１１が位置決めされる。そのため、アタッチメント２１の内側でカバー部材１１が軸方向に回転することが抑制される。
【００４８】
なお、本実施形態では、アタッチメント２１に対してカバー部材１１の位置決めを行うための構成として、凸形状の位置決め用突起２３が設けられているが、位置決め部の構成はこれに限定はされない。別の構成として、カバー部材１１の外周に凸部を設け、アタッチメント２１の内周面に凹部を形成することによって、位置決め部を実現することもできる。この場合、凸部または凹部の少なくとも何れか一方を複数個設けることで、アタッチメント２１に対してカバー部材１１を複数の異なる個所で位置決めすることができる。
【００４９】
本実施形態では、ＬＥＤ照明装置１をランプホルダ５１の正規の位置に取り付けた状態で、アタッチメント２１の突起部２２は、ランプホルダ５１の上方側に位置する開口突起５１ｄと隣接するような位置に設けられている（図２参照）。この状態で、カバー部材１１の頂部１１ｃは、位置決め用突起２３の隣り合う任意の２つの突起の間に配置される。
【００５０】
突起部２２が設けられていることで、図２中、矢印Ａで示す方向（すなわち、軸方向）にカバー部材１１が回転することが規制される。また、位置決め用突起２３が設けられていることで、アタッチメント２１に対してカバー部材１１が位置決めされた状態で固定される。これにより、カバー部材１１が軸方向に回転することが抑制され、ＬＥＤ照明装置１を、ランプホルダ５１に対して適切な位置に配置させた状態で保持することができる。
【００５１】
なお、本実施形態では、位置決め用突起２３が３個以上の突起で構成されているため、アタッチメント２１内の複数の異なる位置でカバー部材１１を固定することができる。これにより、第１照射部１１ａおよび第２照射部１１ｂの各照射面の角度を複数段階に調整することができる。そのため、ランプホルダ５１に取り付けられたＬＥＤ照明装置１の光照射方向を変更することができる。
【００５２】
（カバー部材の形状とＬＥＤ照明装置の配光特性について）
以下では、カバー部材１１の形状とＬＥＤ照明装置１の配光特性との関係について、図２、図４、および図５などを参照しながら説明する。図４は、ＬＥＤ光源１２の配光曲線（破線）およびＬＥＤ照明装置１の配光曲線（実線）を示す図である。図５は、ショーケースなどの天面付近にＬＥＤ照明装置１を設置し、斜め前方のシェード６１および斜め下方の商品棚６２などへ向けて光を照射する様子を模式的に示す。
【００５３】
図４は、円の中心にＬＥＤ光源１２またはＬＥＤ照明装置１を配置し、光源となるＬＥＤの指向性を直下（０°の位置）としたときの光の配光特性を示す。すなわち、図４に示す例では、ＬＥＤ照明装置１の載置板１３を水平に配置し、直下（０°の位置）へ向けてＬＥＤ光源１２が光を放つような位置で、ＬＥＤ照明装置１を配置したときの配光特性を示している。
【００５４】
図４において破線で示すように、ＬＥＤ光源１２は、ランバート配光の配光特性を有しており、蛍光灯と比較して指向性の高い光を発する。また、上述した形状のカバー部材１１内にＬＥＤ光源１２を設置した場合には、図４において実線で示すように、ＬＥＤ光源１２の側方方向へより強度の高い光を照射できることがわかる。図４に示す例では、直下から約６０°側方にずれた位置に照射される光の強度を、ＬＥＤ光源１２の直下（角度０°の位置）に照射される光の強度と同程度とすることができることがわかる。
【００５５】
すなわち、ＬＥＤ照明装置１においては、カバー部材１１の第１照射部１１ａおよび第２照射部１１ｂから、より強度の高い光を照射することができる。したがって、ＬＥＤ照明装置１は、第１照射部１１ａの照射面からの出射方向と、第２照射部１１ｂの照射面からの出射方向という二方向への指向性を有している。
【００５６】
そして、本実施形態では、図２に示すように、カバー部材１１の第１照射部１１ａの照射面が支持基台５０の前方側のやや上方へ向いた状態で配置され、第２照射部１１ｂの照射面が支持基台５０の下方側のやや後方へ向いた状態で配置される。
【００５７】
図５には、支持基台５０がショーケースの筐体である場合の例を示す。図５に示すように、筐体（支持基台５０）には、その天面の前方側から下方へ向けて、シェード６１が設けられている。シェード６１とは、ショーケースの前面部分に設けられた透過性パネルのことである。また、筐体の内部には、商品棚６２が複数個設けられている。
【００５８】
図５に示すように、ＬＥＤ照明装置１は、筐体の天面付近（例えば、傾斜壁面５０ａ）に設置されている。図５では、ＬＥＤ照明装置１の配光特性を矢印で示している。カバー部材１１の第１照射部１１ａおよび第２照射部１１ｂが上述した位置関係で配置されているため、ＬＥＤ照明装置１は、矢印Ｂ方向（第１照射部１１ａからの出射方向）および矢印Ｃ方向（第２照射部１１ｂからの出射方向）という二方向に指向性を有している。
【００５９】
上記の構成によれば、ＬＥＤ照明装置１から照射される光のうち、主に矢印Ｂ方向に出射される光は、シェード６１の背面を照らすことができる。また、上記の構成によれば、ＬＥＤ照明装置１から照射される光のうち、主に矢印Ｃ方向に出射される光は、商品棚６２を照らすことができる。
【００６０】
このように、本実施形態にかかるＬＥＤ照明装置１によれば、所望とする２つの方向に対して指向性を有した状態で、光を照射することができる。また、ショーケースなどの支持基台５０に設けられたランプホルダ５１に対して、ＬＥＤ照明装置１が位置ずれすることを抑制することができる。
【００６１】
（第１の実施形態のまとめ）
以上のように、本実施形態にかかるＬＥＤ照明装置１は、透光性のカバー部材１１を備えている。カバー部材１１は、第１照射部１１ａ、第２照射部１１ｂ、頂部１１ｃ、および湾曲部１１ｄを有している（図２参照）。カバー部材１１の内部には、ＬＥＤ光源１２が載置された載置板１３が配置されている。載置板１３の裏面側（ＬＥＤ光源１２の設置面とは反対側）には、電源ユニット（図示せず）が配置されている。載置板１３の裏面側に電源ユニットが設けられていることで、ＬＥＤ照明装置１の重心は、カバー部材１１の湾曲部１１ｄ側に偏った状態となっている。
【００６２】
このようなＬＥＤ照明装置１の重心の偏りに伴って、ＬＥＤ照明装置１は、例えば、図２の矢印Ａで示すような軸方向に回転する可能性がある。このようなＬＥＤ照明装置１の軸方向の回転は、ＬＥＤ照明装置１が取り付けられるショーケースに設けられた冷凍機などの各種装置において発生する振動や商品棚６２への商品補充により発生する振動などの影響によって、より起こりやすくなる。ＬＥＤ光源１２を有するＬＥＤ照明装置１は、上述したように指向性を有している。そのため、ＬＥＤ照明装置１が軸方向に回転すると、光照射方向がずれてしまい、所望とする方向へ強度の高い光を照射できなくなる可能性がある。
【００６３】
本実施形態にかかるＬＥＤ照明装置１は、カバー部材１１の外周に設けられたアタッチメント２１に突起部２２が設けられている。突起部２２は、ランプホルダ５１の上方側に位置する開口突起５１ｄと隣接して、ＬＥＤ照明装置１の軸方向の回転を規制する。これにより、ＬＥＤ照明装置１の指向性を、所望とする方向に維持することができる。
【００６４】
〔第２の実施形態〕
続いて、本発明の第２の実施形態について説明する。第２の実施形態においては、第１の実施形態と同様の構成のＬＥＤ照明装置１を、第１の実施形態とは異なる構成のランプホルダ１５１に対して取り付ける例について説明する。
【００６５】
図６には、第２の実施形態にかかるランプホルダ１５１、およびそれに取り付けられたＬＥＤ照明装置１の外観を示す。図７には、ＬＥＤ照明装置１の内部構成を示す。図７は、ＬＥＤ照明装置１の横断面（ＬＥＤ照明装置１の長手方向に直交する面）の構成を示す図である。図７では、支持基台１５０にＬＥＤ照明装置１が取り付けられた状態を示す。
【００６６】
ＬＥＤ照明装置１の構成は、第１の実施形態で説明したＬＥＤ照明装置１と同様の構成が適用できるため、詳しい説明を省略する。
【００６７】
ＬＥＤ照明装置１が取り付けられている支持基台１５０は、例えば、店舗のショーケースの筐体であったり、部屋の天面であったりする。本実施形態では、ＬＥＤ照明装置１は、支持基台１５０の上部壁１５２の下面に設置されているランプホルダ（支持部材）１５１に対して取り付けられている。
【００６８】
例えば、上部壁１５２には、２つのランプホルダ１５１が設けられている。ランプホルダ１５１は、主として、取り付け部１５１ａ、湾曲部１５１ｂ、開口部１５１ｃ、および開口突起１５１ｄで構成されている。
【００６９】
取り付け部１５１ａは、支持基台１５０の上部壁１５２の下面と接触する接触面を有している。この接触面がネジなどによって上部壁１５２の下面に接続固定される。湾曲部１５１ｂは、略円形の環状部材である。但し、環状部材の一部は開口しており、ここに開口部１５１ｃが形成されている。開口突起１５１ｄは、湾曲部１５１ｂの各端部（開口部１５１ｃとの境界部分）に設けられている。
【００７０】
ランプホルダ１５１にＬＥＤ照明装置１を取り付ける場合には、開口部１５１ｃからＬＥＤ照明装置１を湾曲部１５１ｂ内へ差し込む。これにより、ＬＥＤ照明装置１の外周の一部がランプホルダ１５１によって抱え込まれ、ＬＥＤ照明装置１は、支持基台１５０に取り付けられる。
【００７１】
なお、図７と図２とを比較すればわかるように、本実施形態のＬＥＤ照明装置１では、アタッチメント２１に対するカバー部材１１の配置位置が、第１の実施形態とは異なっている。図７に示すように、本実施形態では、位置決め用突起２３を構成する５個の突起のうち、突起部２２の最も近くに位置する２個の突起の間に、カバー部材１１の頂部１１ｃが位置している。一方、第１の実施形態では、位置決め用突起２３を構成する５個の突起のうち、第２の実施形態とは異なる２つの突起の間にカバー部材１１の頂部１１ｃが位置している（図２参照）。
【００７２】
このように、ＬＥＤ照明装置１の構成によれば、支持基台およびランプホルダの構造にある程度の変更があったとしても、アタッチメント２１に対するカバー部材１１の配置位置を変更することで、ＬＥＤ照明装置１の指向性を所望とする方向へ維持することができる。したがって、照明装置の指向性が支持基台およびランプホルダの構造に左右されることが少なくなり、より汎用性の高いＬＥＤ照明装置を提供することができる。
【００７３】
〔第３の実施形態〕
続いて、本発明の第３の実施形態について説明する。上述した第１の実施形態では、二方向に指向性を有しているＬＥＤ照明装置１を例に挙げて説明した。しかし、本発明の一態様では、線状型照明装置が３つ以上の方向に指向性を有していてもよい。そこで、第３の実施形態では、三方向に指向性を有しているＬＥＤ照明装置１０１を例に挙げて説明する。
【００７４】
第３の実施形態にかかるＬＥＤ照明装置１０１では、カバー部材１１１の構造が第１の実施形態とは異なっている。そこで、以下では、カバー部材１１１の構造を中心に説明する。第１の実施形態と同様の構成が適用できる構成部材については、適宜説明を省略する。
【００７５】
第３の実施形態にかかるＬＥＤ照明装置１０１は、例えば、従来の蛍光灯の代わりに、部屋の照明や、店舗に設置されたショーケース内を照らす照明などとして好適に利用することができる。第１の実施形態と同様に、ＬＥＤ照明装置１０１は、細長い形状を有する線状型の照明装置である。
【００７６】
図８は、第３の実施形態にかかるＬＥＤ照明装置１０１の断面図である。図８は、図２などと同様に、ＬＥＤ照明装置１０１の横断面（ＬＥＤ照明装置１０１の長手方向に直交する面）の構成を示す図である。図８では、第１の実施形態と同じ支持基台５０にＬＥＤ照明装置１０１が取り付けられた状態を示す。なお、本実施形態のＬＥＤ照明装置１０１は、第２の実施形態の支持基台１５０にも取り付け可能である。
【００７７】
本実施形態のＬＥＤ照明装置１０１は、主な構成部材として、カバー部材１１１、端部支持部材（図示せず）、ＬＥＤ光源１２、載置板１３、およびアタッチメント（取り付け部材）１２１などを備えている。端部支持部材、ＬＥＤ光源１２、および載置板１３については、第１の実施形態と同様の構成が適用できる。
【００７８】
カバー部材１１１は、光を透過させることのできる材料で形成されている。カバー部材１１１は、内部に空間を有する筒状の形状を有している。
【００７９】
より具体的には、カバー部材１１１の外形は、第１照射部１１１ａ、第２照射部１１１ｂ、第３照射部１１１ｃ、および湾曲部１１１ｄで構成されている。第１照射部１１１ａ、第２照射部１１１ｂ、および第３照射部１１１ｃの外側の平面は、ＬＥＤ光源１２からの光が主として出射される光の照射面となっている。
【００８０】
また、カバー部材１１の内側空間には、載置板１３を支持するための保持部１４が設けられている。カバー部材１１１の内部の空間には、ＬＥＤ光源１２などが配置される。これにより、ＬＥＤ光源１２から照射された光は、カバー部材１１１を通過して被照射物に照射される。
【００８１】
アタッチメント１２１は、アタッチメント２１と同様に、樹脂材料、または金属材料で形成されている。アタッチメント１２１は、リング状（略環状）の形状を有している。アタッチメント１２１は、カバー部材１１１の外周のランプホルダ５１に対応する位置に配置されている。図８に示すように、ＬＥＤ照明装置１０１をランプホルダ１５１に取り付けた状態で、アタッチメント１２１は、その外周面が、ランプホルダ５１の湾曲部５１ｂの内周面と接触するような位置関係となっている。
【００８２】
アタッチメント１２１は、その外周面に突起部１２２を有している。本実施形態では、２つの突起部１２２が設けられている。
【００８３】
２つの突起部１２２は、アタッチメント１２１の外周面にそれぞれ形成されている。突起部１２２は、ランプホルダ５１に対してカバー部材１１１が軸方向に回転することを規制するための部材である。
【００８４】
本実施形態では、ＬＥＤ照明装置１０１をランプホルダ５１の正規の位置に取り付けた状態で、アタッチメント１２１の一方の突起部１２２は、ランプホルダ５１の上方側に位置する開口突起５１ｄと隣接するような位置に設けられている。また、この状態で、アタッチメント１２１の他方の突起部１２２は、ランプホルダ５１の下方側に位置する開口突起５１ｄと隣接するような位置に設けられている（図８参照）。
【００８５】
本実施形態では、２つの突起部１２２が設けられていることで、図８中で反時計回りの方向へカバー部材１１１が回転することが規制されるだけでなく、時計回りの方向へカバー部材１１１が回転することも規制することができる。したがって、ＬＥＤ照明装置１０１をランプホルダ５１に対してより安定した状態で保持することができる。
【００８６】
また、アタッチメント１２１には、その内周面に複数の位置決め用突起（位置決め部）１２３が設けられている。本実施形態では、位置決め用突起１２３は、２つの突起で構成されている。この２つの突起の間に、カバー部材１１１の第３照射部１１１ｃが配置される。言い換えると、第１照射部１１１ａと第３照射部１１１ｃとの境界の近傍に、位置決め用突起１２３の一方の突起が位置し、第２照射部１１１ｂと第３照射部１１１ｃとの境界の近傍に、位置決め用突起１２３の他方の突起が位置する。
【００８７】
位置決め用突起１２３が設けられていることで、アタッチメント１２１に対してカバー部材１１１が位置決めされた状態で固定される。上述したように、本実施形態では、カバー部材１１１は、３つの照射部（すなわち、第１照射部１１１ａ、第２照射部１１１ｂ、および第３照射部１１１ｃ）を有しており、三方向に指向性を有している。位置決め用突起１２３が設けられていることで、このような多方向への指向性を有するカバー部材１１１を、アタッチメント１２１の適切な位置へ配置させることができる。
【００８８】
以上のように、本実施形態の構成によれば、アタッチメント１２１に設けられた突起部１２２によって、カバー部材１１１が軸方向に回転することを抑制することができる。また、アタッチメント１２１に設けられた位置決め用突起１２３によって、三方向への指向性を有しているＬＥＤ照明装置１０１を、ランプホルダ５１に対して適切な位置に配置させた状態で保持することができる。したがって、ＬＥＤ照明装置１０１によれば、所望とする複数方向へ強度のより高い光を照射することができる。
【００８９】
〔第４の実施形態〕
続いて、本発明の第４の実施形態について説明する。上述した第１の実施形態では、アタッチメント（取り付け部材）２を有しているＬＥＤ照明装置１を例に挙げて説明した。しかし、本発明の一態様では、線状型照明装置がアタッチメント（取り付け部材）を備えていない構成も可能である。そこで、第４の実施形態では、ランプホルダ５１に対してカバー部材２１１が直接取り付けられる構成を例に挙げて説明する。
【００９０】
第４の実施形態にかかるＬＥＤ照明装置２０１は、第１の実施形態と同様に、細長い形状を有する線状型の照明装置である。なお、上述した各実施形態では、カバー部材は円筒形状ではなく、異形形状を有していたが、本実施形態では、カバー部材が円筒形状を有している構成例について説明する。
【００９１】
図９には、ＬＥＤ照明装置２０１の内部構成を示す。図９は、ＬＥＤ照明装置２０１の横断面（ＬＥＤ照明装置２０１の長手方向に直交する面）の構成を示す図である。図９では、第１の実施形態と同じ支持基台５０にＬＥＤ照明装置２０１が取り付けられた状態を示す。
【００９２】
本実施形態のＬＥＤ照明装置２０１は、主な構成部材として、カバー部材２１１、端部支持部材（図示せず）、ＬＥＤ光源１２、および載置板１３などを備えている。端部支持部材、ＬＥＤ光源１２、および載置板１３については、第１の実施形態と同様の構成が適用できる。
【００９３】
カバー部材２１１は、光を透過させることのできる材料で形成されている。カバー部材２１１は、内部に空間を有する円筒状の形状を有している。カバー部材２１１の内側空間には、載置板１３を支持するための保持部１４が設けられている。カバー部材２１１の内部の空間には、ＬＥＤ光源１２などが配置される。これにより、ＬＥＤ光源１２から照射された光は、カバー部材２１１を通過して被照射物に照射される。
【００９４】
また、カバー部材２１１の外周には、突起部２２２が設けられている。突起部２２２は、ランプホルダ５１に対してカバー部材２１１が軸方向に回転することを規制するための部材である。図９に示す例では、突起部２２２の数は１個であるが、突起部２２２の数は２個であってもよい。
【００９５】
本実施形態では、ＬＥＤ照明装置２０１をランプホルダ５１の正規の位置に取り付けた状態で、アタッチメント２２１の突起部２２２は、ランプホルダ５１の上方側に位置する開口突起５１ｄと隣接するような位置に設けられている。これにより、図９中で反時計回りの方向へカバー部材２１１が回転することが規制される。
【００９６】
以上のように、本発明の一態様にかかるＬＥＤ照明装置は、アタッチメントを備えていなくてもよい。このような構成の場合には、カバー部材の軸方向の回転を規制するための突起部は、カバー部材に直接形成することができる。
【００９７】
〔第５の実施形態〕
続いて、本発明の第５の実施形態について説明する。第５の実施形態にかかるＬＥＤ照明装置３０１では、カバー部材３１１の構造が第１の実施形態とは異なっている。そこで、以下では、カバー部材３１１の構造を中心に説明する。第１の実施形態と同様の構成が適用できる構成部材については、適宜説明を省略する。
【００９８】
第５の実施形態にかかるＬＥＤ照明装置３０１は、第１の実施形態と同様に、細長い形状を有する線状型の照明装置である。図１０は、第５の実施形態にかかるＬＥＤ照明装置１０１の断面図である。図１０は、図２などと同様に、ＬＥＤ照明装置３０１の横断面（ＬＥＤ照明装置３０１の長手方向に直交する面）の構成を示す図である。図１０では、第１の実施形態と同じ支持基台５０にＬＥＤ照明装置３０１が取り付けられた状態を示す。
【００９９】
本実施形態のＬＥＤ照明装置３０１は、主な構成部材として、カバー部材３１１、端部支持部材（図示せず）、ＬＥＤ光源１２、載置板１３、およびアタッチメント（取り付け部材）２１などを備えている。端部支持部材、ＬＥＤ光源１２、載置板１３、およびアタッチメント２１については、第１の実施形態と同様の構成が適用できる。
【０１００】
カバー部材３１１は、光を透過させることのできる材料で形成されている。カバー部材３１１の外形は、第１照射部３１１ａ、第２照射部３１１ｂ、頂部３１１ｃ、および底部３１１ｄで構成されている。カバー部材３１１の内側空間には、載置板１３を支持するための保持部１４が設けられている。カバー部材３１１の内部の空間には、ＬＥＤ光源１２などが配置される。これにより、ＬＥＤ光源１２から照射された光は、カバー部材１１１を通過して被照射物に照射される。
【０１０１】
アタッチメント２１は、突起部２２と、位置決め用突起２３とを有している。これらの構成については、第１の実施形態で説明した構成と同じ構成が適用できる。
【０１０２】
図１０に示すように、カバー部材３１１の頂部３１１ｃは、位置決め用突起２３を構成する５個の突起のうちの隣り合う任意の２つの突起の間に配置される。これにより、アタッチメント２１に対してカバー部材３１１が位置決めされる。そのため、アタッチメント２１の内側でカバー部材３１１が軸方向に回転することが抑制される。
【０１０３】
以上のように、第１の実施形態で説明したＬＥＤ照明装置１のアタッチメント２１は、カバー部材１１とは異なる形状のカバー部材３１１にも適用可能である。このように、ＬＥＤ照明装置は、アタッチメントを有していることで、カバー部材の形状を種々に変更させてもランプホルダの適切な位置に取り付け可能である。すなわち、アタッチメントによって、汎用性の高いＬＥＤ照明装置が提供できる。
【０１０４】
〔まとめ〕
以上のように、本実施形態にかかるＬＥＤ照明装置は、少なくとも一つのＬＥＤ光源と、前記ＬＥＤ光源を覆う線状型の透光性のカバー部材とを備えている。このＬＥＤ照明装置は、支持部材（例えば、ランプホルダ５１・１５１など）によって、その外周の少なくとも一部が保持されることで支持部材に支持可能に構成されている。また、ＬＥＤ照明装置の外周には、前記支持部材に対して前記カバー部材が軸方向に回転することを規制する少なくとも一つの突起部が設けられている。
【０１０５】
前記突起部は、例えば、第１の実施形態などのように、アタッチメント２１に設けられていてもよい。あるいは、前記突起部は、第４の実施形態のように、カバー部材３１１に設けられていてもよい。
【０１０６】
また、例えば、第１および第３の実施形態などのように、本実施形態にかかるＬＥＤ照明装置は、前記カバー部材の外周に、前記支持部材にＬＥＤ照明装置を取り付けるための取り付け部材（例えば、アタッチメント２１・１２１など）を備えていてもよい。このような構成の場合、前記突起部は、前記取り付け部材に設けられていることが好ましい。これにより、円筒形状のカバー部材用に構成されたランプホルダに対して、円筒形状以外の形状のカバー部材を適切に取り付けることができる。
【０１０７】
また、本実施形態にかかるＬＥＤ照明装置において、前記アタッチメントは、前記カバー部材の外周の一部を取り囲むような環状形状を有しており、前記環状形状の内周部には、前記アタッチメントに対して前記カバー部材を固定するための位置決め部（例えば、位置決め用突起２３・１２３など）が設けられていてもよい。
【０１０８】
また、本実施形態にかかるＬＥＤ照明装置１のように、前記位置決め部は、例えば、５個の突起を有する位置決め用突起２３として実現できる。これにより、複数の異なる位置で前記カバー部材を固定することができる。
【０１０９】
本実施形態にかかるＬＥＤ照明装置１のように、前記カバー部材は、複数の照射面（例えば、第１照射部１１ａおよび第２照射部１１ｂ）を有していてもよい。このような構成において、隣接する照射面の間に前記位置決め部が配置されていてもよい。例えば、第１の実施形態のように、第１照射部１１ａと第２照射部１１ｂとの間に位置する頂部１１ｃが、位置決め用突起２３によって位置決めされていてもよい。
【０１１０】
また、本実施形態にかかるＬＥＤ照明装置において、前記取り付け部材は、透光性を有していてもよい。これにより、ＬＥＤ光源からの光の一部が取り付け部材によって遮蔽されることが抑制される。
【０１１１】
また、本実施形態にかかるＬＥＤ照明装置１０１のように、前記支持部材（例えば、ランプホルダ５１）は、前記ＬＥＤ照明装置の外周を取り囲む湾曲部（例えば、湾曲部５１ｂ）と、開口部（例えば、開口部５１ｃ）とを有しており、前記ＬＥＤ照明装置を前記支持部材に取り付けたときに、前記突起部（例えば、アタッチメント１２１の突起部１２２）は、前記開口部の両端部（すなわち、各開口突起５１ｄと隣接する位置）にそれぞれ位置するように設けられていてもよい。
【０１１２】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１３】
１      ：ＬＥＤ照明装置（線状型照明装置）
１１    ：カバー部材
１１ａ  ：第１照射部（照射面）
１１ｂ  ：第２照射部（照射面）
１２    ：ＬＥＤ光源
２１    ：アタッチメント（取り付け部材）
２２    ：突起部
２３    ：位置決め用突起（位置決め部）
５０    ：支持基台
５１    ：ランプホルダ（支持部材）
５１ｂ  ：（ランプホルダの）湾曲部
５１ｃ  ：（ランプホルダの）開口部
１０１  ：ＬＥＤ照明装置（線状型照明装置）
１１１  ：カバー部材
１１１ａ：第１照射部（照射面）
１１１ｂ：第２照射部（照射面）
１１１ｃ：第３照射部（照射面）
２０１  ：ＬＥＤ照明装置（線状型照明装置）
２１１  ：カバー部材
２２２  ：突起部
３０１  ：ＬＥＤ照明装置（線状型照明装置）
３１１  ：カバー部材
【図１】
2019160441.tif 000003
【図２】
2019160441.tif 000004
【図３】
2019160441.tif 000005
【図４】
2019160441.tif 000006
【図５】
2019160441.tif 000007
【図６】
2019160441.tif 000008
【図７】
2019160441.tif 000009
【図８】
2019160441.tif 000010
【図９】
2019160441.tif 000011
【図１０】
2019160441.tif 000012